(57)【特許請求の範囲】
【請求項１】
開口部を有して床側に固定される固定部と、
コネクタブロックを有し、当該コネクタブロックが前記開口部から床面上に突出して当該コネクタブロックにコネクタを接続可能な突出状態と、当該コネクタブロックが床面下に収納された収納状態と、が切り替え可能となるように前記固定部に支持される可動部と、
を備え、
前記固定部には、ネジを挿通する第一および第二の貫通孔が連通された貫通穴が形成され、当該固定部が、前記第一および第二の貫通孔のうちいずれか一方に挿通されたネジを用いて床側に固定されるフロアコンセント装置において、
前記第一および第二の貫通孔のうちいずれか一方に挿通されたネジの頭部またはネジ部に保持される被保持部と、当該被保持部から他方側に伸びて当該他方の貫通孔を塞ぐ閉塞部と、を有する閉塞体を設け、
前記被保持部は、ネジの頭部のネジ部との境界部またはネジ部に保持され、ネジの頭部と前記固定部とが直接的に当接するようにしたことを特徴とするフロアコンセント装置。
【請求項２】
前記被保持部は、ネジに弾性的に嵌着されることを特徴とする請求項１に記載のフロアコンセント装置。
【請求項３】
前記被保持部は、略Ｃリング状に形成されてネジの周囲を抱持することを特徴とする請求項１または２に記載のフロアコンセント装置。
【請求項４】
前記被保持部のＣリングの切断部に臨む一対の端部に、テーパ状の面取りを施したことを特徴とする請求項３に記載のフロアコンセント装置。
【請求項５】
前記テーパ状の面取りが、当該被保持部が装着されるネジの軸方向の一方側に向けて拡開するものであることを特徴とする請求項４に記載のフロアコンセント装置。
【請求項６】
請求項１〜５のうちいずれか一つに記載のフロアコンセント装置に用いられ、前記第一および第二の貫通孔のうちいずれか一方に挿通されたネジの頭部またはネジ部に保持される被保持部と、当該被保持部から他方側に伸びて当該他方の貫通孔を塞ぐ閉塞部と、を有する閉塞体。
【発明の詳細な説明】
【技術分野】
【０００１】
本発明は、床に設置されるポップアップ型のフロアコンセント装置に関する。
【背景技術】
【０００２】
従来より、この種のフロアコンセント装置には、コンセントを備えた可動部がフロアプレートの開口部から床面上に突出した突出状態と、当該可動部が床面下に収納された収納状態と、を切り替えることができるように構成されたものがある。
【０００３】
さらに、この種のフロアコンセント装置のうち、フロアプレートに、床上側に向けてテーパ状に拡開する長孔を設けるとともに、その長孔に嵌め込むブッシングの中心からずれた位置にネジ挿通孔を形成して、そのブッシングを長孔に嵌め込む姿勢によってネジ挿通孔の位置を変化させ、以て、ネジ固定位置が相互に異なる二つのネジ固定方式、すなわち、直接固定方式と、挟み込み方式との双方に対応できるようにしたものが知られている（特許文献１）。
【特許文献１】特公平７−７５４５１号公報
【発明の開示】
【発明が解決しようとする課題】
【０００４】
しかしながら、上記特許文献１に開示されるフロアコンセント装置では、ブッシングが比較的小さい部品であるため、ネジの着脱作業時等に、ブッシングが不本意に転がったり、さらに床上や床下に落下したりして、取り扱いが面倒であるという問題があった。
【０００５】
そこで、本発明は、より取り扱いの容易なフロアコンセント装置を得ることを目的とする。
【課題を解決するための手段】
【０００６】
請求項１の発明にあっては、開口部を有して床側に固定される固定部と、コネクタブロックを有し、当該コネクタブロックが上記開口部から床面上に突出して当該コネクタブロックにコネクタを接続可能な突出状態と、当該コネクタブロックが床面下に収納された収納状態と、が切り替え可能となるように上記固定部に支持される可動部と、を備え、上記固定部には、ネジを挿通する第一および第二の貫通孔が連通された貫通穴が形成され、当該固定部が、上記第一および第二の貫通孔のうちいずれか一方に挿通されたネジを用いて床側に固定されるフロアコンセント装置において、上記第一および第二の貫通孔のうちいずれか一方に挿通されたネジの頭部またはネジ部に保持される被保持部と、当該被保持部から他方側に伸びて当該他方の貫通孔を塞ぐ閉塞部と、を有する閉塞体を設け、上記被保持部は、ネジの頭部のネジ部との境界部またはネジ部に保持され、ネジの頭部と上記固定部とが直接的に当接するようにしたことを特徴とする。
【０００８】
請求項２の発明にあっては、上記被保持部は、ネジに弾性的に嵌着されることを特徴とする。
【０００９】
請求項３の発明にあっては、上記被保持部は、略Ｃリング状に形成されてネジの周囲を抱持することを特徴とする。
【００１０】
請求項４の発明にあっては、上記被保持部のＣリングの切断部に臨む一対の端部に、テーパ状の面取りを施したことを特徴とする。
【００１１】
請求項５の発明にあっては、上記テーパ状の面取りが、当該被保持部が装着されるネジの軸方向の一方側に向けて拡開するものであることを特徴とする。
【００１２】
請求項６の発明にあっては、上記フロアコンセント装置に用いられる閉塞体において、上記第一および第二の貫通孔のうちいずれか一方に挿通されたネジの頭部またはネジ部に保持される被保持部と、当該被保持部から他方側に伸びて当該他方の貫通孔を塞ぐ閉塞部と、を有することを特徴とする。
【発明の効果】
【００１３】
請求項１の発明によれば、閉塞体をネジに保持させることができるため、当該閉塞体が不本意に転がったり、床上や床下に落下したりしにくくなり、取り扱いがより容易になるという利点がある。また、少なくともネジの頭部の端部側と固定部との間に閉塞体が介在しないようにすることができ、その分、当該閉塞体を平面視でより小さくすることができる。
【００１５】
請求項２の発明によれば、閉塞体をネジに比較的容易に保持させることができる。
【００１６】
請求項３の発明によれば、Ｃリングの切断部にネジを挿通させることで、被保持部がネジを抱持する状態を比較的容易に得ることができる。
【００１７】
請求項４の発明によれば、テーパ状の面取りによって、Ｃリングの切断部にネジをより容易に挿通させることができる。
【００１８】
請求項５の発明によれば、閉塞体を傾けてネジの軸方向に沿って動かすことで、Ｃリングの切断部にネジをより一層容易に挿通させることができる。
【００１９】
請求項６の発明によれば、閉塞体をネジに保持させることで、当該閉塞体が不本意に転がったり、開口部から床下側に落下したりしにくくなり、取り扱いがより容易になるという利点がある。
【発明を実施するための最良の形態】
【００２０】
以下、本発明の実施形態について図面を参照しながら詳細に説明する。図１は、本実施形態にかかるフロアコンセント装置の可動部が床面上に突出した突出状態を示す斜視図、図２は、フロアコンセント装置の可動部が床下に収納された収納状態を示す斜視図、図３は、フロアコンセント装置を直接固定方式によってネジ止めする対象としての床下側構成部品とともに示す分解斜視図、図４は、フロアコンセント装置を挟み込み方式によってネジ止めする対象としての床下側構成部品とともに示す分解斜視図、図５は、フロアコンセント装置によって挟み込み方式で固定される様子を示す縦断面図であって、（ａ）は固定前、（ｂ）は固定後を示す図、図６は、フロアコンセント装置の固定部の平面図（床上側から見た図）、図７は、フロアコンセント装置の固定部に形成される貫通穴の斜視図、図８は、フロアコンセント装置の閉塞体を示す斜視図、図９は、閉塞体がネジに保持された状態を示す側面図、図１０は、貫通穴に閉塞体のみが挿入された状態を示す斜視図、図１１は、フロアコンセント装置を床下側から見た平面図、図１２は、フロアコンセント装置の貫通穴に閉塞体およびネジを装着した状態を示す縦断面図である。
【００２１】
フロアコンセント装置１は、床に対して固定される固定部２と、使用時に床面上に突出する可動部３とを備えている。可動部３は、固定部２にヒンジ部（図示せず）を介して回動可能に支持されるとともに、コイルスプリング（図示せず）等の付勢手段によって突出側に付勢されており、固定部２のフロアプレート４の表面に設けられた操作子７を動かして可動部３と固定部２とのロックを解除すると、当該付勢力によって、可動部３がフロアプレート４の開口部４ａから突出するようになっている。可動部３と固定部２とは、突出状態でもロックされており、操作子７を動かしてこのロックを解除しない限り、可動部３を押し下げて収納状態に戻すことができないようになっている。
【００２２】
固定部２は、床面上に載置されるフロアプレート４の他、フロアプレート４の下面に固定されるフレーム５と、フレーム５に支持されて、コネクタブロック９と床下配線（図示せず）との中継部として機能する端子台（図示せず）を覆う端子台カバー６と、を備える。なお、操作子７は、フロアプレート４に、当該フロアプレート４の表面に沿ってスライド可能に支持されている。
【００２３】
一方、可動部３は、箱状の筐体部８と、当該筐体部８に嵌め込まれて固定されるコネクタブロック（例えばコンセントブロック）９と、筐体部８の上部に固定される天板部１０と、を備える。コネクタブロック９は、可動部３が突出した状態で、床上に露出し、所定のコネクタ（電源プラグ等）を接続できるようになっている。
【００２４】
フロアプレート４の中央部には、可動部３の天板部１０を受け入れる凹部１１が形成されており、この凹部１１の底部に可動部３を挿通する開口部４ａが形成されている。
【００２５】
かかる固定部２および可動部３を含むフロアコンセント装置１は、フロアプレート４の上面に形成された貫通穴１２に挿通させたネジ（例えば皿ネジ等）１３により、床下側に固定される構成部品（ボックスカバー１７Ａ（図３），１７Ｂ（図４））に固定される。なお、貫通穴１２の上部にはネジ１３の頭部を受け入れる座繰り部１２ｃ，１２ｄ（図７）が形成されている。
【００２６】
この貫通穴１２は、開口部４ａの側部の凹部１１の底面に形成されており、図２に示す収納状態では、ネジ１３（および閉塞体１４）が可動部３の天板部１０によって被覆され、美観の向上を図ることができる上、ネジ１３を外す等の不正なアクセスを抑制できるという利点がある。
【００２７】
また、この貫通穴１２は、ネジ１３を挿通する同じ大きさの二つの貫通孔の一部同士を重ね合て平面視でだるま状に形成されており、ネジ１３が配置されない側は、閉塞体１４によって閉塞される。
【００２８】
そして、図３に示すように、床下に固定される収納ボックス１５の開口部を覆うように、雌ネジ孔付きのボックスカバー１７Ａが固定されているときには、ネジ１３を外側に、かつ閉塞体１４を内側にした状態で、閉塞体１４を保持したネジ１３を貫通穴１２に挿入し、ネジ１３をネジ孔２２に螺結する。かかる部品の構成ならびに配置は、直接固定方式に対応するものである。
【００２９】
一方、図４に示すように、床下に固定される収納ボックス１５の開口部を覆うように、雌ネジ孔の無いボックスカバー１７Ｂが載置されているときには、ネジ１３を内側に、かつ閉塞体１４を内側にした状態で、閉塞体１４を保持したネジ１３を貫通穴１２に挿入する。かかる部品の構成ならびに配置は、ナット１６ａおよび挟み込みアーム１６ｂを使用する挟み込み固定方式に対応するものである。
【００３０】
具体的には、図５の（ａ）および（ｂ）に示すように、ネジ１３を締め付けることでナット１６ａを上方に押し上げ、このナット１６ａによって、フレーム５に回動可能に保持した挟み込みアーム１６ｂを上側に傾動させ、以て、挟み込みアーム１６ｂとボックスカバー１７Ｂの上側に当接するフロアプレート４とでボックスカバー１７Ｂを狭持する。なお、ネジ部１３ｂは、挟み込みアーム１６ｂの貫通孔を貫通し、当該貫通孔によってガイドされる。
【００３１】
このように、本実施形態によれば、二種類のボックスカバー１７Ａ，１７Ｂに対し、フロアコンセント装置１、ネジ１３、および閉塞体１４を共用することができる。
【００３２】
なお、本実施形態では、これらボックスカバー１７Ａ，１７Ｂは、いずれも、ネジ１８によって、収納ボックス１５に締結されている。ボックスカバー１７Ａ，１７Ｂの中央部には略円形の開口部１９Ａ，１９Ｂが形成されており、この開口部１９Ａ，１９Ｂから、フロアプレート４の裏面側に配置あるいは収納される構成要素、すなわち可動部３や、固定部２のフレーム５や端子台カバー６等が、収納ボックス１５内に挿入される。開口部１９Ａ，１９Ｂは、ボックスカバー１７Ａ，１７Ｂの中央部で上側に突出したボス部２０Ａ，２０Ｂに形成されており、ボックスカバー１７Ａについては、開口部１９Ａの周縁部から内側に張り出す一対の対向するフランジ部２１が形成され、このフランジ部２１にネジ孔２２が形成されている。
【００３３】
ここで、貫通穴１２、閉塞体１４、およびそれらに関連するより詳細な構成について、図６〜図１２を参照しながら説明する。
【００３４】
図６および図７に示すように、貫通穴１２は、同一形状の軸心位置が異なる二つの貫通孔１２ａ，１２ｂの一部を重ねるようにしてだるま状に形成されており、その上部には、皿ネジとしてのネジ１３の頭部１３ａ（の側面１３ｃ）を当接させるすり鉢状の座繰り部１２ｃ，１２ｄが形成されている。
【００３５】
この貫通穴１２は、突出した可動部３のコネクタブロック９の両サイドに、開口部４ａを挟んで対称に合計二個設けられている。各貫通穴１２において、開口部４ａに近い側の貫通孔１２ａおよび座繰り部１２ｃは、直接固定方式において閉塞体１４の閉塞部１４ｂおよび基体部１４ｇ（図８）を受け入れるとともに、挟み込み固定方式においてネジ１３および閉塞体１４の被保持部１４ａ（図８）を受け入れる。一方、開口部４ａから遠い側の貫通孔１２ｂおよび座繰り部１２ｄは、直接固定方式においてネジ１３および閉塞体１４の被保持部１４ａを受け入れるとともに、挟み込み固定方式において閉塞体１４の閉塞部１４ｂおよび基体部１４ｇを受け入れる。
【００３６】
ここで、本実施形態では、図６に示すように、貫通孔１２ｂを、貫通孔１２ａに対してコネクタブロック９の接続面側の反対側（すなわち図６では上側）にオフセットさせている。これにより、直接固定方式のときに、ボックスカバー１７Ａの開口部１９Ａの中心に対して、フロアコンセント装置１の中心をコネクタブロック９の接続面側にオフセットして配置することができる。こうすることで、端子台カバー６の設置スペースを拡張して、当該端子台カバー６内で配線を配索する空間をより広く確保することができる。
【００３７】
一方、閉塞体１４は、ネジ部１３ｂに保持される被保持部１４ａと、二つの貫通孔１２ａ，１２ｂのうちいずれか一方を閉塞する閉塞部１４ｂとを備える。この閉塞部１４ｂは、座繰り部１２ｃ，１２ｄの形状に合わせて上方に向けて拡がっており、その下部には、貫通孔１２ａまたは１２ｂ内に挿入される略円柱状の基体部１４ｇが連設され、当該基体部１４ｇの側壁から、略Ｃリング状（平面視で略Ｃ字状）の被保持部１４ａが突設されている。閉塞部１４ｂの被保持部１４ａ側はすり鉢状に抉られて、ネジ１３の頭部１３ａの座繰り面１４ｃが形成され、一方、基体部１４ｇの被保持部１４ａと反対側は段差状に切り欠かれて、凹部１４ｆが形成されている。
【００３８】
この閉塞体１４は、弾性を有する弾性体（例えば樹脂等）を所定形状に成形してなるものであり、略Ｃリング状に形成された被保持部１４ａは、図９に示すように、ネジ部１３ｂの頭部１３ａとの境界部近傍の周囲を弾性力によって抱持している。このとき、被保持部１４ａの内周面に、環状あるいはネジに略適合する螺旋状の溝または突起を形成して、脱落を抑制するようにしてもよい。
【００３９】
また、被保持部１４ａのＣリングの切断部に臨む一対の端部１４ｄには、テーパ状の面取り１４ｅを施してある。本実施形態では、面取り１４ｅは、ネジ部１３ｂの軸端側に向けて拡開するテーパ状に形成されており、Ｃリングの切断部がネジ１３の頭部１３ａ側を向くように傾けて、当該面取り１４ｅをネジ部１３ｂの側面に押し当てることでＣリングの切断部の間隔を拡げて、ネジ１３に容易に装着できるようにしている。
【００４０】
そして、図１０に示すように、閉塞体１４が貫通穴１２内に挿入された状態では、閉塞部１４ｂが座繰り部１２ｃ上に載置されて、貫通孔１２ａを塞ぐ一方、被保持部１４ａは、座繰り部１２ｄより下の貫通孔１２ｂ内に挿入される。よって、ネジ１３の頭部１３ａの側面１３ｃは、固定部２に形成された座繰り部１２ｄに直接当接することになる。なお、このとき、図１０に示すように、閉塞部１４ｂに形成された座繰り面１４ｃが、固定部２の座繰り部１２ｄにほぼ連なって、全体的にすり鉢状の座繰り形状が形成されていることが理解できよう。また、図１０とは逆に、座繰り部１２ｄ側に閉塞部１４ｂを配置した場合には、被保持部１４ａは貫通孔１２ａ内に挿入され、ネジ１３の頭部１３ａの側面１３ｃは、座繰り部１２ｃに直接当接することになる。
【００４１】
また、図１１および図１２に示すように、本実施形態では、固定部２のフレーム５に形成された円形穴５ａに、フロアプレート４から裏面側に伸びる略円筒状の突起４ｂが嵌挿され、フロアプレート４とフレーム５とが位置決めされている。この円筒状の突起４ｂの内側に、貫通孔１２ａが形成されている。よって、突起４ｂは、貫通孔１２ｂの部分が切り欠かれ、平面視では略Ｃ字状に形成されている。ここで、閉塞体１４の基体部１４ｇは、突起４ｂの周壁と連なるようにして切り欠かれて凹部１４ｆが形成されており、これにより、フロアコンセント装置１をボックスカバー１７Ｂ上に載置したときに、ボックスカバー１７Ｂの開口部１９Ｂと閉塞体１４とが干渉するのが抑制されている。
【００４２】
以上の本実施形態によれば、閉塞体１４をネジ１３に保持させることができるため、当該閉塞体１４が不本意に転がったり、床上に落下したり、開口部１９Ａ等から床下側に落下したりしにくくなり、取り扱いがより容易になるという利点がある。
【００４３】
また、本実施形態によれば、少なくともネジ１３の頭部１３ａと固定部２の座繰り部１２ｄとの間に閉塞体１４が介在しないようにすることができ、その分、当該閉塞体１４を平面視でより小さくすることができる。
【００４４】
かかる構成は、本実施形態のように天板部１０によって貫通穴１２を覆う構成の場合に、凹部１１および天板部１０をより小さくすることができて、特に有効である。
【００４５】
また、上記従来技術のように、ブッシングを介してネジ止めする場合、ネジの締め付けに伴う高い押圧力に耐えうるブッシングの耐久性が要求され、例えば金属部材とする等、かかる観点による材質や形状の設定が要求されるが、本実施形態の場合には、ネジ１３の頭部１３ａと固定部２（座繰り部１２ｃまたは１２ｄ）とを直接当接させることで、閉塞体１４には上記従来技術のような高い押圧力が作用しないようにすることができる。すなわち、換言すれば、本実施形態によれば、ネジ１３の締め付けによって閉塞体１４に作用する押圧力を従来より軽減することができ、その分、閉塞体１４の耐久性を向上させることができる。
【００４６】
そして、閉塞体１４の材質として、樹脂やゴム等の弾性体を選択した場合、閉塞部１４ｂによってネジ１３を挿通させない側の貫通孔１２ａまたは１２ｂにおけるシール性を高めることができるという利点がある。
【００４７】
また、本実施形態によれば、閉塞体１４をネジ１３に弾性的に嵌着するようにしたため、当該閉塞体１４がネジ１３に保持された状態を、より容易に得ることができる。
【００４８】
また、本実施形態によれば、被保持部１４ａを略Ｃリング状に形成したため、当該Ｃリングの切断部にネジ１３を挿通させることができ、ネジ１３が被保持部１４ａによって抱持された状態を、さらに容易に得ることができる。
【００４９】
また、本実施形態によれば、被保持部１４ａのＣリングの切断部に臨む一対の端部１４ｄに、テーパ状の面取り１４ｅを施したため、当該切断部にネジ１３をより容易に挿通させることができ、ネジ１３が被保持部１４ａによって抱持された状態を、より一層容易に得ることができる。
【００５０】
また、本実施形態のように、テーパ状の面取り１４ｅを、ネジ１３の軸端側に向けて拡開させるようにした場合、閉塞体１４を傾けてネジ１３の軸方向に沿って動かすことで、Ｃリングの切断部にネジをより一層容易に挿通させることができ、ネジ１３が被保持部１４ａによって抱持された状態を、さらに容易に得ることができる。
【００５１】
以上、本発明の好適な実施形態について説明したが、本発明は上記実施形態には限定されず種々の変形が可能である。
【００５２】
例えば、上記実施形態では、平面視で円形状のフロアコンセント装置の場合を例に挙げて説明したが、本発明は、略矩形状のフロアコンセント装置についても同様に実施可能であるし、また、可動部が回動するのではなく、上下動するタイプについても、同様に実施可能である。また、可動部は、電源コンセント用のコンセントブロックに替えて、あるいはコンセントブロックとともに、電話線やＬＡＮケーブル用のコネクタブロックを装備したものとしてもよい。また、皿ネジ以外のネジを用いることも可能である。
【００５３】
また、上記実施形態では、被保持部がネジ部に保持される形態を例示したが、何らかの係合手段によって被保持部が頭部のネジ部側に保持されるようにしてもよいし、頭部とネジ部との境界部分に跨って保持されるようにしてもよい。また、グリスを塗布する等して、閉塞体がネジから脱落するのを抑制するようにしてもよい。
【００５４】
また、Ｃリングの一対の被保持部同士が相互に当接するように形成してもよいし、被保持部を環状に形成してもよい。
【００５５】
また、テーパ状の面取りは、ネジの頭部方向に向けて拡開させてもよいし、ネジの軸方向両端側に形成してもよいし、Ｃリングの径方向外側に向けて拡開する面取りを施してもよい。
【図面の簡単な説明】
【００５６】
【図１】本発明の実施形態にかかるフロアコンセント装置の可動部が床面上に突出した突出状態を示す斜視図。
【図２】本発明の実施形態にかかるフロアコンセント装置の可動部が床下に収納された収納状態を示す斜視図。
【図３】本発明の実施形態にかかるフロアコンセント装置を直接固定方式によってネジ止めする対象としての床下側構成部品とともに示す分解斜視図。
【図４】本発明の実施形態にかかるフロアコンセント装置を挟み込み方式によってネジ止めする対象としての床下側構成部品とともに示す分解斜視図。
【図５】本発明の実施形態にかかるフロアコンセント装置が挟み込み方式で固定される様子を示す縦断面図であって、（ａ）は固定前、（ｂ）は固定後を示す図。
【図６】本発明の実施形態にかかるフロアコンセント装置の固定部の平面図。
【図７】本発明の実施形態にかかるフロアコンセント装置の固定部に形成される貫通穴の斜視図。
【図８】本発明の実施形態にかかるフロアコンセント装置の閉塞体を示す斜視図。
【図９】本発明の実施形態にかかるフロアコンセント装置の閉塞体がネジに保持された状態を示す側面図。
【図１０】本発明の実施形態にかかるフロアコンセント装置の固定部に形成される貫通穴に閉塞体のみが挿入された状態を示す斜視図。
【図１１】本発明の実施形態にかかるフロアコンセント装置を床下側から見た平面図。
【図１２】本発明の実施形態にかかるフロアコンセント装置の貫通穴に閉塞体およびネジを装着した状態を示す縦断面図。
【符号の説明】
【００５７】
１  フロアコンセント装置
２  固定部
３  可動部
４ａ  開口部
９  コネクタブロック
１２  貫通穴
１２ａ，１２ｂ  貫通孔
１３  ネジ
１３ａ  頭部
１３ｂ  ネジ部
１４  閉塞体
１４ａ  被保持部
１４ｂ  閉塞部
１４ｄ  端部
１４ｅ  面取り
【図１】
0004622738.tif 000002
【図２】
0004622738.tif 000003
【図３】
0004622738.tif 000004
【図４】
0004622738.tif 000005
【図５】
0004622738.tif 000006
【図６】
0004622738.tif 000007
【図７】
0004622738.tif 000008
【図８】
0004622738.tif 000009
【図９】
0004622738.tif 000010
【図１０】
0004622738.tif 000011
【図１１】
0004622738.tif 000012
【図１２】
0004622738.tif 000013